(57)【要約】【課題】  装飾バリエーションを高めることができるマスク用装飾具を提供する。【解決手段】  顔面を覆うマスク本体に取り付けられるマスク用装飾具１０であって、基材２１の表裏面に保持部２２および粘着層２３をそれぞれ有する台座２０と、保持部２２に着脱自在に装着される取付部３２を有する複数の装飾体３０とを備え、粘着層２３は剥離紙２４により覆われており、剥離紙２４を剥がして粘着層２３をマスク本体に貼着することができるマスク用装飾具１０。【選択図】  図１
0003165173.tif 000002
【実用新案登録請求の範囲】
【請求項１】
顔面を覆うマスク本体に取り付けられるマスク用装飾具であって、
基材の表裏面に保持部および粘着層をそれぞれ有する台座と、
前記保持部に着脱自在に装着される取付部を有する複数の装飾体とを備え、
前記粘着層は剥離紙により覆われており、前記剥離紙を剥がして前記粘着層をマスク本体に貼着することができるマスク用装飾具。
【請求項２】
顔面を覆うマスク本体と、
基材の表裏面に保持部および粘着層をそれぞれ有する台座と、
前記保持部に着脱自在に装着される取付部を有する複数の装飾体とを備え、
前記粘着層が前記マスク本体に貼着され、前記取付部が前記保持部に取り付けられるマスク。
【考案の詳細な説明】
【技術分野】
【０００１】
本考案は、マスク用装飾具およびマスクに関する。
【背景技術】
【０００２】
顔面に装着される従来のマスクとして、表面に絵柄等を施したファッションマスクが知られている。例えば、特許文献１に開示されたマスクは、各種の絵柄を印刷したメッシュ製粘着シートを台紙から剥がしてマスクに貼着することが可能であり、その日の服装や気分に合わせて絵柄を選択することができる。
【先行技術文献】
【特許文献】
【０００３】
【特許文献１】登録実用新案第３０８８０５２号公報
【考案の概要】
【考案が解決しようとする課題】
【０００４】
ところが、上記従来のマスクは、マスクに貼着した絵柄シートが最終的にはマスクと共に廃棄されるため、例えば小さなぬいぐるみ等のように愛着のあるものや高価なものをマスクの装飾に使用することができず、使用者の好みに応じて装飾物を自由に選択できないという問題があった。
【０００５】
そこで、本考案は、装飾バリエーションを高めることができるマスク用装飾具およびマスクの提供を目的とする。
【課題を解決するための手段】
【０００６】
本考案の前記目的は、顔面を覆うマスク本体に取り付けられるマスク用装飾具であって、  基材の表裏面に保持部および粘着層をそれぞれ有する台座と、前記保持部に着脱自在に装着される取付部を有する複数の装飾具とを備え、前記粘着層は剥離紙により覆われており、前記剥離紙を剥がして前記粘着層をマスク本体に貼着することができるマスク用装飾具により達成される。
【０００７】
また、本考案の前記目的は、顔面を覆うマスク本体と、基材の表裏面に保持部および粘着層をそれぞれ有する台座と、前記保持部に着脱自在に装着される取付部を有する複数の装飾体とを備え、前記粘着層が前記マスク本体に貼着され、前記取付部が前記保持部に取り付けられるマスクにより達成される。
【考案の効果】
【０００８】
本考案によれば、装飾バリエーションを高めることができるマスク用装飾具およびマスクを提供することができる。
【図面の簡単な説明】
【０００９】
【図１】本考案の一実施形態に係るマスク用装飾具の側面図である。
【図２】本考案の一実施形態に係るマスクの分解側面図である。
【図３】装飾体の一実施形態を示す（ａ）正面図および（ｂ）裏面図である。
【図４】装飾体の他の実施形態を示す側面図である。
【考案を実施するための形態】
【００１０】
以下、本考案の一実施形態について添付図面を参照しつつ説明する。図１は、本考案の一実施形態に係るマスク用装飾具の側面図である。図１に示すように、マスク用装飾具１０は、台座２０および装飾体３０を別体として備えている。
【００１１】
台座２０は、シート状の基材２１の表面側に保持部２２を備えており、基材２１の裏面側に粘着層２３を備えて構成されている。粘着層２３は剥離紙２４により覆われており、使用時に剥離紙２４を剥がして、粘着層２３を後述するマスク本体に貼着することができる。装飾体３０は、装飾物３１の裏面側に取付部３２を備えており、取付部３２が台座２０の保持部２２に着脱可能に装着される。保持部２２および取付部３２の具体的な構成として、本実施形態では面ファスナーを使用しているが、磁石、吸盤、ホック等、装飾体３０を台座２０に着脱自在に装着できる公知の手段を使用することができる。装飾物３１は、平面状であってもよいが、立体状のものを好ましく用いることができる。
【００１２】
図１に示すマスク用装飾具１０は、図２に示すように、顔面（例えば、口および鼻）を覆う被覆部４１の両側に耳かけ部４２，４２を備えるマスク本体４０の被覆部４１の表面に対して、台座２０の剥離紙２４を剥離して粘着層２３を貼着した後、台座２０の保持部２２に装飾体３０の取付部３２を装着することにより、装飾が施されたマスク１を構成することができる。
【００１３】
図２に示すマスク１によれば、台座２０がマスク本体４０に固定されると共に、装飾体３０が台座２０に対して着脱自在に装着されるため、デザイン、色、質感などがそれぞれ異なる複数の装飾体３０を予め用意しておくことにより、マスク本体４０の使用中に装飾体３０を適宜取り替えて使用することができる。
【００１４】
例えば、図３に正面図および裏面図で示すように、ぬいぐるみからなる牛の鼻３１ａおよび鼻輪３１ｂにより構成された装飾物３１の裏面側（図３（ｂ）参照）に、取付部３２を縫い付ける等して固定して、装飾体３０を構成することができる。或いは、図４に側面図で示すように、熊の鼻からなる装飾物３１の裏面側に取付部３２を固定して、装飾体３０を構成することができる。このように、犬や豚など各種動物の鼻や口を装飾物３１として複数の装飾体３０を構成し、これを適宜取り替えて使用することにより、病院内での演劇に用いたり、円滑なコミュニケーションのツールとして活用する等、精神面での治療効果も期待することができる。
【００１５】
装飾体３０を構成する装飾物３１は、量産品であってもよいが、使用者の私物を装飾物３１とすることもでき、これに取付部３２を接着等により固定して装飾体３０を構成することができる。また、１つのマスク本体４０に台座２０を複数固定して、各台座２０に装飾体３０をそれぞれ装着するようにしてもよい。
【００１６】
マスク本体４０を長期間使用する等して廃棄する場合には、マスク本体４０および台座２０のみを廃棄すればよく、新たなマスク本体４０および台座２０を用意することで、装飾体３０は繰り返し使用することができる。したがって、装飾物３１が高価であったり愛着のあるものであっても、マスク本体４０を装飾する装飾体３０として使用することができ、装飾バリエーションを高めることができる。
【符号の説明】
【００１７】
１  マスク
１０  マスク用装飾具
２０  台座
２１  基材
２２  保持部
２３  粘着層
２４  剥離紙
３０  装飾体
３１  装飾物
３２  取付部
４０  マスク本体
【図１】
0003165173.tif 000003
【図２】
0003165173.tif 000004
【図３】
0003165173.tif 000005
【図４】
0003165173.tif 000006